(57)【要約】【課題】携帯用電話機に着脱可能な照明装置を提供すること。【解決手段】携帯用電話機１０に着脱可能な照明装置４０であり、携帯用電話機１０に照明装置４０を着脱し、照明装置４０を携帯用電話機１０に取り付けたときに、携帯用電話機１０の電源を照明装置４０の電源とする電源接続部と、前記電源接続部から供給される電源を利用して点灯する発光部４２とを具備することを特徴とする照明装置。さらに、照明装置４０は、前記電源接続部から供給される電圧を昇圧して発光部４２の電源とする昇圧手段を備えている。【選択図】        図１
2004228865.tif 000002
【特許請求の範囲】
【請求項１】
携帯用電話機に着脱可能な照明装置であり、
前記携帯用電話機に照明装置を着脱する着脱手段と、照明装置を前記携帯用電話機に取り付けたときに、前記携帯用電話機の電源を照明装置の電源とする電源接続手段と、前記電源接続手段から供給される電源を利用して点灯する照明手段とを具備することを特徴とする照明装置。
【請求項２】
請求項１に記載された照明装置であって、
前記電源接続手段から供給される電圧を昇圧して前記照明手段の電源とする昇圧手段を備えていることを特徴とする照明装置。
【請求項３】
請求項１または２に記載された照明装置であって、
前記電源接続手段が前記携帯用電話機の電源用蓄電池の充電用電源接続部に接続可能な照明装置の電源接続部であることを特徴とする照明装置。
【請求項４】
請求項１、２または３に記載された照明装置であって、
前記照明手段が発光ダイオードであることを特徴とする照明装置。
【発明の詳細な説明】
【０００１】
【発明の属する技術分野】
本発明は、照明装置に関し、特に携帯用電話機に着脱できる照明装置に関するものである。
【０００２】
【従来の技術】
従来、照明手段付き携帯用電話機として携帯用電話機の電源を利用して携帯用電話機の適当な位置に照明手段を付加したものがある。（例えば特許文献１）
図７はこの携帯用電話機の従来例を示す。図７に示すように、携帯用電話機６０のケース６１の図示上面には各種操作ボタン６２、表示部６３が設けられ、ケース６１の先端部にはアンテナ６４が設けられている。そして、ケース６１の先端部側側面に照明手段としての発光部６５が設けられている。このため、暗闇で物を探すときなどに、この発光部６５を点灯させると便利である。
【０００３】
【特許文献１】
実用新案登録第３０７１６５０号公報
【０００４】
【発明が解決しようとする課題】
しかし、上記従来例では、発光部６５が携帯用電話機６０に付設されているので、発光部６５を使用しないときに、携帯用電話機６０から発光部６５を取り外して、携帯用電話機６０の機能のみにすることができないという問題があった。さらに、上記従来例では、照明手段付きの携帯用電話機を購入して使用する必要があり、照明手段が付加されていない携帯用電話機に照明手段を付加して使用することができないという問題があった。
そこで、本発明が解決しようとする課題は、携帯用電話機に着脱可能な照明装置を提供することである。
【０００５】
【課題を解決するための手段】
上記課題を解決するため、請求項１記載の発明は、携帯用電話機に着脱可能な照明装置であり、前記携帯用電話機に照明装置を着脱する着脱手段と、照明装置を前記携帯用電話機に取り付けたときに、前記携帯用電話機の電源を照明装置の電源とする電源接続手段と、前記電源接続手段から供給される電源を利用して点灯する照明手段とを具備することを特徴とする照明装置である。
これにより、照明装置を携帯用電話機に取り付けて使用することができるとともに、照明装置を使用しないときは、照明装置を携帯用電話機から取り外すことができる。さらに、電源接続手段により携帯用電話機の電源を利用して照明装置の照明手段を点灯可能であるので、照明手段が別個に電源を備える必要がなくなる。
【０００６】
さらに、請求項２記載の発明は、請求項１記載の発明において、前記電源接続手段から供給される電圧を昇圧して前記照明手段の電源とする昇圧手段を備えていることである。
これにより、照明装置の昇圧手段が前記電源接続手段から供給される電圧を昇圧して前記電圧より高い電圧を照明装置の照明手段に加えることができるので、携帯用電話機の電源電圧より高い電圧が必要な照明手段を点灯させることができる。
【０００７】
さらに、請求項３記載の発明は、請求項１または２記載の発明において、前記電源接続手段が前記携帯用電話機の電源用蓄電池の充電用電源接続部に接続可能な照明装置の電源接続部であることである。
これにより、前記携帯用電話機の電源用蓄電池の充電用電源接続部を利用して照明手段を携帯用電話機の電源に接続することができる。
【０００８】
さらに、請求項４記載の発明は、請求項１、２または３記載の発明において、前記照明手段が発光ダイオードであることである。
これにより、発光ダイオードを点灯させることにより容易に照明手段を構成することができるとともに、発光ダイオードの消費電力が電球の消費電力より著しく少ないので、照明装置の消費電力を電球使用の場合よりも少なくすることができる。
【０００９】
【発明の実施の形態】
以下、本発明における実施の形態を図面に基づいて説明する。図１は本発明の実施の形態に係る照明装置を携帯用電話機に接続した状態を示し、図２は図１において携帯用電話機のカバー部を開いた状態を示し、図３は図２における携帯用電話機の電源接続部を示し、図４は図１の照明装置を示し、図５は図４の照明装置のＡ視図を示す。さらに、図６は図４の照明装置の内部回路を示す。
【００１０】
図１に示すように、携帯用電話機１０は、本体部２０とカバー部３０がヒンジ部１１で回動自在に連結されている。このため、図２に示すようにカバー部３０を開くことができる。本体部２０には、各種の操作ボタン２２が配設されている。また、カバー部３０の内面には表示部３１が設けられ、カバー部３０の外面にはアンテナ３２が設けられている。
【００１１】
図３に示すように、本体部２０の側面２１の図示手前側部分には、電源接続部２５が設けられている。電源接続部２５には少なくとも接続端子２５ａ、２５ｂが設けられ、接続端子２５ａ、２５ｂの両側には円柱状の支持部２５ｃ、２５ｄが設けられている。さらに、電源接続部２５の前記支持部２５ｃの側面に対向する位置に凹部２５ｅが設けられている。同様に、電源接続部２５の前記支持部２５ｄの側面に対向する位置に図示しない凹部（凹部２５ｅに相当する）が設けられている。そして、電源接続部２５を開閉する蓋２６が設られている。
図１および図２においては、本願発明に係る照明装置４０が電源接続部２５に接続されている。
【００１２】
図４に示すように、照明装置４０には、そのケース４１の先端部に発光部４２が設けられ、ケース４１の図示上面に押しボタン式のスイッチ４３が設けられている。なお、ケース４１は、その上側部分４１ａと下側部分４１ｂをネジ４９ａ、４９ｂにより結合した構造となっている。スイッチ４３は、例えばオフの状態で一度その押しボタンを押すと、オン状態になり、さらに、オン状態で前記押しボタンを押すとオフになるスイッチである。
また、照明装置４０の先端部には、発光部４２が設けられている。なお、発光部４２を二点鎖線４２ａで示す範囲まで拡大してもよい。
【００１３】
さらに、図４に示すように、照明装置４０を携帯用電話機１０（図１参照）に着脱するための一対のばね性を備えた係止部４６、４７が照明装置４０に設けられている。この一対の係止部４６、４７は、その先端部に爪４６ａ、４７ａが形成され、その折れ曲がった基部４６ｂ、４７ｂがケース４１内に固定されている。そして、この一対の係止部４６、４７に押しボタン４８ａ、４８ｂが固定されている。
【００１４】
図５に示すように、照明装置４０の基部分には、電源接続部４４が設けられ、この電源接続部４４には、接続端子４４ａ、４４ｂが形成されている。さらに、接続端子４４ａ、４４ｂの両側に一対の凹部４４ｃ、４４ｄが設けられている。この電源接続部４４は図３に示す本体部２０の電源接続部２５に接続可能である。電源接続部４４を本体部２０の電源接続部２５に差し込むと、電源接続部２５の円柱状の支持部２５ｃ、２５ｄに電源接続部４４の凹部４４ｃ、４４ｄが嵌合することにより、電源接続部２５と電源接続部４４の位置関係が保持され、図６に示すように、電源接続部４４の接続端子４４ａ、４４ｂが電源接続部２５の接続端子２５ａ、２５ｂにそれぞれ接続される。
【００１５】
図６に示すように、照明装置４０の回路は、発光ダイオード５５、発光ダイオード５５を発光させる集積回路５０および集積回路５０の電源をオン・オフするスイッチ４３を備え、ケース４１（図４参照）内に配置されている。発光ダイオード５５は、発光部４２（図４参照）の光源となるものである。
【００１６】
集積回路５０は、その内部回路として発振回路５１、チャージポンプ５２および抵抗５３を備え、さらに、各外部回路に接続するための電源端子５０ａ、接地端子５０ｂ、チャージポンプ５２のコンデンサ接続端子５０ｃ、５０ｄおよび出力端子５０ｅを備えている。
発振回路５１は電源部５１ａ、接地部５１ｂおよび出力部５１ｃを備え、チャージポンプ５２は電源部５２ａ、接地部５２ｂ、入力部５２ｃおよび出力部５２ｄを備えている。
【００１７】
電源端子５０ａが発振回路５１の電源部５１ａおよびチャージポンプ５２の電源部５２ａに接続され、接地端子５０ｂが発振回路５１の接地部５１ｂおよびチャージポンプ５２の接地部５２ｂに接続されている。そして、発振回路５１の出力部５１ｃがチャージポンプ５２の入力部５２ｃに接続され、チャージポンプ５２の出力部５２ｄが抵抗５３を経由して集積回路５０の出力端子５０ｅに接続されている。さらに、出力端子５０ｅが発光ダオード５５のアノードに接続され、発光ダイオード５５のカソードが接地されている。そして、コンデンサ接続端子５０ｃ、５０ｄにはコンデンサ５４が接続されている。
携帯用電話機１０には、電源接続部２５を経由して充電される蓄電池１２が内蔵されている。
【００１８】
以上の構成により、照明装置４０を携帯用電話機１０の電源接続部２５に取り付けたときは、係止部４６、４７の爪４６ａ、４７ａが電源接続部２５の一対の凹部（２５ｅ等）（図３参照）に係止するので、照明装置４０が携帯用電話機１０から外れることを防ぐことができる。この状態で、一対の凹部４４ｃ、４４ｄが一対の支持部２５ｃ、２５ｄに嵌合するので、照明装置４０を確実に電源接続部２５に取り付けることができる。そして、このとき、接続端子４４ａ、４４ｂが接続端子２５ａ、２５ｂに電気的に接続される。このときは、携帯用電話機１０に内蔵されている蓄電池１２が接続端子２５ａ、２５ｂを経由して、接続端子４４ａ、４４ｂに接続される。
【００１９】
そして、スイッチ４３がオン状態にあるときに、接続端子４４ａが集積回路５０の電源端子５０ａに接続され、発振回路５１およびチャージポンプ５２に蓄電池１２の電圧が供給される。このとき、発振回路５１がパルス波を発振し、このパルス波が出力部５１ｃからチャージポンプ５２の入力部５２ｃに加えられる。これにより、チャージポンプ５２が前記パルス波に同期してコンデンサ５４に充電を繰り返すことにより、蓄電池１２の電圧を昇圧した直流電圧をその出力部５２ｄから抵抗５３を経由して発光ダイオード５５に加える。このため、発光ダイオード５５が発光する。このとき、発光部４２（図４参照）がその外部を照らすことができる。
なお、スイッチ４３をオフにすると、発光ダイオード５５が消灯する。
【００２０】
この状態で、図４に示すように、押しボタン４８ａ、４８ｂがケース４１の開口部４１ｃ、４１ｄから外部に露出しているので、この押しボタン４８ａ、４８ｂを押すと、一対の係止部４６、４７の爪４６ａ、４７ａの間隔が短くなり、爪４６ａ、４７ａを一対の凹部（２５ｅ等）（図３参照）から外すことができるので、照明装置４０を携帯用電話機１０から取り外すことができる。
【００２１】
さらに、ケース４１の上側部分４１ａの図示上面から下側部分４１ｂの図示しない下面まで貫通する貫通孔４５が形成されている。このため、この貫通孔４５に図示しないストラップを挿通させてもよい。
【００２２】
なお、上記実施の形態において、照明装置の電源接続部を携帯用電話機の電源接続部に着脱しているが、これに限定されず、例えば、照明装置に携帯用電話機のイヤホン用コネクタ等に着脱可能な着脱手段を付設して、この着脱手段を前記イヤホン用コネクタ等に着脱してもよい。このときは、照明装置とその電源端子をリード線で接続し、この電源端子を携帯用電話機の電源接続部に接続するようにしてもよい。このようにすると、照明装置を着脱する箇所が携帯電話機の電源接続部に限定されなくなる。
【００２３】
また、発光ダイオードを１個のみ使用しているが、これに限定されず、複数の発光ダイオードを直列または並列に接続したものを使用することもできる。さらに、発光ダイオードの代わりに電球を使用することもできる。
また、昇圧手段としてチャージポンプを使用しているが、これに限定されず昇圧手段として他のＤＣ−ＤＣコンバータを使用することができる。さらに、携帯用電話機から照明装置に加えられる電源電圧が照明装置の発光ダイオード等の照明手段を点灯するのに適した電圧であれば、昇圧手段を省くことができる。
また、照明装置に設けた電源用のスイッチは押しボタン式であるが、これに限定されず、例えばスライド式のものでもよい。さらに、この電源用のスイッチを省いて、照明装置の電源接続部を携帯用電話機の電源接続部に接続すると同時に照明装置の発光部が点灯するようにしてもよい。さらに、照明装置の前記電源用のスイッチを携帯用電話機に付設してもよい。
また、照明装置の一対の係止具はなくてもよい。
【００２４】
【発明の効果】
請求項１記載の発明によれば、照明装置を携帯用電話機に取り付けて使用することができるとともに、照明装置を使用しないときは、照明装置を携帯用電話機から取り外することができる。さらに、携帯用電話機の電源を照明装置の電源として利用しているので、照明装置専用の電源が不要になる。この結果、照明装置の小型化を図ることができる。
さらに、請求項２記載の発明によれば、請求項１記載の発明の効果とともに、照明装置に使用する照明手段の電圧の自由度が向上する。
さらに、請求項３記載の発明によれば、請求項１または２記載の発明の効果とともに、照明手段を携帯用電話機に取り付けて使用することが容易になる。
さらに、請求項４記載の発明によれば、請求項１、２または３記載の発明の効果とともに、照明装置を省エネ型にすることができる。
【図面の簡単な説明】
【図１】本発明の実施の形態に係る照明装置を携帯用電話機に接続した状態を示す斜視図である。
【図２】図１において携帯用電話機のカバー部を開いた状態を示す斜視図である。
【図３】図２における携帯用電話機の電源接続部を示す斜視図である。
【図４】図１の照明装置を示す斜視図である。
【図５】図４の照明装置のＡ視図である。
【図６】図４の照明装置の回路図である。
【図７】従来の照明手段付き携帯用電話機を示す斜視図である。
【符号の説明】
１０  携帯用電話機
１２  蓄電池（電源）
２５  電源接続部
４０  照明装置
４４  電源接続部
５２  チャージポンプ（昇圧手段）
５５  発光ダイオード（照明手段）
【図１】
2004228865.tif 000003
【図２】
2004228865.tif 000004
【図３】
2004228865.tif 000005
【図４】
2004228865.tif 000006
【図５】
2004228865.tif 000007
【図６】
2004228865.tif 000008
【図７】
2004228865.tif 000009